(57)【特許請求の範囲】
【請求項１】
少なくとも一対のプーリの間に懸架されて回動可能とされ、遊技球の搬送面が形成された無端状の搬送ベルトと、
該搬送ベルトの搬送面に対向する位置に配設され、前記搬送面との間に流入した遊技球を挟持してその表面の汚れを拭き取るための研磨布と、
前記搬送ベルトの搬送面から流出した遊技球を揚送する揚送管路と、
を具備し、前記搬送ベルトの搬送面と前記研磨布との間に流入した遊技球に対し、当該研磨布にて表面の汚れを拭き取りつつ当該搬送ベルトの回動により前記揚送管路における揚送力が付与される研磨揚送装置であって、
前記搬送ベルトの終端と前記揚送管路との間に配設されて遊技球の逆流を防止するための本体側逆流防止手段と、当該揚送管路側に配設されて遊技球の逆流を防止するための揚送管路側逆流防止手段とを具備し、且つ、前記搬送ベルトから揚送管路に向かう遊技球を流通させる流路に対して前記揚送管路が取り外し可能とされるとともに、前記揚送管路側逆流防止手段は、取り外された当該揚送管路の下端部に位置することを特徴とする研磨揚送装置。
【請求項２】
前記本体側逆流防止手段は、前記搬送ベルトの終端から前記揚送管路に向かう流路を閉止するとともに前記揚送管路に向かって流出した最下の遊技球を支持して逆流を防止する逆流防止状態と、前記搬送ベルトの終端からの遊技球に押圧されて当該遊技球の前記揚送管路への流出を許容し得る流通許容状態との間で移動可能な部材から成ることを特徴とする請求項１記載の研磨揚送装置。
【発明の詳細な説明】
【技術分野】
【０００１】
本発明は、パチンコ遊技機の島設備に設けられ、遊技球の表面の汚れを拭き取ると共に当該遊技球を揚送する研磨揚送装置に関する。
【背景技術】
【０００２】
パチンコ遊技機の島設備は、パチンコ店内ホールに設置され、複数のパチンコ遊技機が横並びに配設されるとともに、それらパチンコ遊技機に対して電力の供給や遊技球の供給及び回収等を行い得るよう構成されている。かかるパチンコ遊技機の島設備においては、通常、パチンコ遊技球から排出された遊技球を回収するアウトレールと、該アウトレールで回収された遊技球を貯留する島中タンクと、島上に配設されて遊技球を貯留可能な島上タンクと、島中タンクで貯留した遊技球を島上タンクまで揚送する揚送機と、島設備内で循環する遊技球の外周面を研磨して表面の汚れを拭き取るための研磨布を具備した遊技球研磨装置とが配設されている。
【０００３】
しかるに、例えば特許文献１にて開示されているように、遊技球研磨装置における遊技球の排出側に複数の流路が形成されたブロック状の揚送管路を起立状に設け、搬送ベルトの搬送面から流出した遊技球を当該揚送管路にて揚送する構成とすることにより、別個の揚送機を不要とした研磨揚送装置が提案されるに至っている。かかる従来の研磨揚送装置は、搬送ベルトの搬送面と研磨布との間に流入した遊技球に対し、当該研磨布にて表面の汚れを拭き取りつつ当該搬送ベルトの回動により揚送管路における揚送力が付与されるものとされていた。
【先行技術文献】
【特許文献】
【０００４】
【特許文献１】特開２０１１−１４７８２２号公報
【発明の概要】
【発明が解決しようとする課題】
【０００５】
しかしながら、上記従来技術においては、研磨揚送装置に遊技球がまばらに送り込まれた際、遊技球の送り込みがない部位における搬送ベルトに対して揚送管路内にある遊技球の重量が付与されてしまうこととなり、その部位に過負荷が生じて破損や変形等を生じさせてしまう虞があった。また、揚送管路の途中に逆流防止手段を設け、当該逆流防止手段にて揚送管路内の遊技球を支持することが考えられるが、その場合であっても、逆流防止手段より下部に位置する遊技球の重量が搬送ベルトに付与されてしまうという不具合がある。
【０００６】
本発明は、このような事情に鑑みてなされたもので、揚送管路内の遊技球の逆流を防止するとともに、遊技球がまばらに送り込まれた場合でも搬送ベルトに対して過負荷が付与されてしまうのを防止することができる研磨揚送装置を提供することにある。
【課題を解決するための手段】
【０００７】
請求項１記載の発明は、少なくとも一対のプーリの間に懸架されて回動可能とされ、遊技球の搬送面が形成された無端状の搬送ベルトと、該搬送ベルトの搬送面に対向する位置に配設され、前記搬送面との間に流入した遊技球を挟持してその表面の汚れを拭き取るための研磨布と、前記搬送ベルトの搬送面から流出した遊技球を揚送する揚送管路とを具備し、前記搬送ベルトの搬送面と前記研磨布との間に流入した遊技球に対し、当該研磨布にて表面の汚れを拭き取りつつ当該搬送ベルトの回動により前記揚送管路における揚送力が付与される研磨揚送装置であって、前記搬送ベルトの終端と前記揚送管路との間に配設されて遊技球の逆流を防止するための本体側逆流防止手段と、当該揚送管路側に配設されて遊技球の逆流を防止するための揚送管路側逆流防止手段とを具備し、且つ、前記搬送ベルトから揚送管路に向かう遊技球を流通させる流路に対して前記揚送管路が取り外し可能とされるとともに、前記揚送管路側逆流防止手段は、取り外された当該揚送管路の下端部に位置することを特徴とする。
【０００８】
請求項２記載の発明は、請求項１記載の研磨揚送装置において、前記本体側逆流防止手段は、前記搬送ベルトの終端から前記揚送管路に向かう流路を閉止するとともに前記揚送管路に向かって流出した最下の遊技球を支持して逆流を防止する逆流防止状態と、前記搬送ベルトの終端からの遊技球に押圧されて当該遊技球の前記揚送管路への流出を許容し得る流通許容状態との間で移動可能な部材から成ることを特徴とする。
【発明の効果】
【０００９】
請求項１の発明によれば、搬送ベルトの終端と揚送管路との間に配設されて遊技球の逆流を防止するための本体側逆流防止手段と、当該揚送管路側に配設されて遊技球の逆流を防止するための揚送管路側逆流防止手段とを具備したので、揚送管路内の遊技球の逆流を防止するとともに、遊技球がまばらに送り込まれた場合でも搬送ベルトに対して過負荷が付与されてしまうのを防止することができる。
【００１０】
請求項２の発明によれば、本体側逆流防止手段は、搬送ベルトの終端から揚送管路に向かう流路を閉止するとともに揚送管路に向かって流出した最下の遊技球を支持して逆流を防止する逆流防止状態と、搬送ベルトの終端からの遊技球に押圧されて当該遊技球の揚送管路への流出を許容し得る流通許容状態との間で移動可能な部材から成るので、より確実に搬送ベルトに過負荷が生じてしまうのを回避させることができる。
【図面の簡単な説明】
【００１１】
【図１】本発明の実施形態に係る研磨揚送装置が適用される島設備を示す全体図
【図２】同研磨揚送装置を示す断面図
【図３】同研磨揚送装置（揚送管路が取り外された状態）を示す断面図
【図４】同研磨揚送装置における本体側逆流防止手段の作用を示す拡大図
【図５】同研磨揚送装置における揚送部材を示す平面図
【図６】同研磨揚送装置における接続部材及び揚送管路を示す側面図及び正面図
【図７】同研磨揚送装置における接続部材内に配設された揚送管路側逆流防止手段を示す拡大図
【図８】同研磨揚送装置における揚送管路を示す模式図
【発明を実施するための形態】
【００１２】
以下、本発明の実施形態について図面を参照しながら具体的に説明する。
本実施形態に適用されるパチンコ遊技機の島設備は、図１に示すように、遊技店に設置されるとともにパチンコ遊技機２が複数並列して設置された島状のものから成る。かかる島設備１は、それぞれのパチンコ遊技機２に電力を供給し得るとともに、各パチンコ遊技機２に遊技球を供給し或いは回収する流路（レール等）を具備したものである。
【００１３】
パチンコ遊技機２は、ガラス板が取り付けられた前面枠を有しており、該ガラス板から遊技者が遊技盤を目視し得るように構成されており、この遊技盤の遊技領域には、図柄表示手段、始動口や大入賞口等の種々役物が配設されている。そして、ハンドルを回転操作することにより、遊技球が遊技盤に発射され、所定の入賞口に入賞或いは最下のアウト穴に至るよう構成されている。
【００１４】
島設備１は、パチンコ遊技機２に電力を供給し得る電力供給手段（不図示）を具備するとともに、島中タンク７と、アウトレール８と、研磨揚送装置９とが内部に設置されている。さらに、島設備１は、島上に配設された島上タンク３と、該島上タンク３から図中左右方向にそれぞれ延設された補給樋４ａ、４ｂと、同方向にそれぞれ延設されたオーバーフロー樋５ａ、５ｂとを有している。
【００１５】
アウトレール８は、パチンコ遊技機２から排出された遊技球を回収するための流路から成り、各パチンコ遊技機２から排出された遊技球が当該アウトレール８を介して島中タンク７及び研磨揚送装置９に至るようになっている。島中タンク７は、アウトレール８で回収された遊技球を貯留するためのもので、島設備１の下部に固設されている。島上タンク３は、島設備１の上面（島上）に配設されるとともに、各パチンコ遊技機２に対して補給すべき遊技球が貯留されるものである。この島上タンク３には、研磨揚送装置９における揚送管路１８の上端が接続されており、当該研磨揚送装置９にて研磨された遊技球が揚送管路１８を介して上方に向かって流通することで島上タンク３まで揚送可能とされている。
【００１６】
補給樋４ａ、４ｂは、島上タンク３の両側面から島端（図１における島設備１の左側端及び右側端）に向かって下方に傾斜しつつ延設され、当該島上タンク３内の遊技球を流下させて各パチンコ遊技機２に補給し得る流路から成るものである。オーバーフロー樋５ａ、５ｂは、補給樋４ａ、４ｂからオーバーフローした遊技球を流下させ、蛇腹チューブ６ａ、６ｂを介して島中タンク７に落下させ得る流路から成るものである。
【００１７】
しかして、島上タンク３内の遊技球は、補給樋４ａ、４ｂを流れて各パチンコ遊技機２に補給されるとともに、当該パチンコ遊技機２から排出され、アウトレール８を介して島中タンク７に至る。その後、島中タンク７内に至った遊技球は、研磨揚送装置９により研磨された後、揚送管路１８を介して再び島上タンク３まで揚送され、当該島上タンク３から補給樋４ａ、４ｂを介して各パチンコ遊技機２に補給されることとなる。このように、遊技球は、島設備１内において循環するものとされている。
【００１８】
ここで、本実施形態に係る研磨揚送装置９は、アウトレール８を介して各パチンコ遊技機２から回収された遊技球を受け入れ、当該遊技球の表面を研磨して汚れを拭き取った後、島上タンク３まで揚送させるためのもので、図２〜８に示すように、搬送ベルト１０と、研磨布１１と、受け部材１３と、本体側逆流防止手段１４と、揚送部材１６と、揚送管路１８と、揚送管路側逆流防止手段１９とを具備したものである。なお、図中符号Ｆは、研磨揚送装置９における筐体を成すフレームを示している。
【００１９】
搬送ベルト１０は、図２、３に示すように、プーリＲ１、Ｒ２に懸架されるとともに当該プーリ（Ｒ１、Ｒ２）間で回動可能な無端状のベルト材から成るものである。かかるプーリＲ２は、モータＭの出力軸と連結された駆動プーリから成るとともに、プーリＲ１は、搬送ベルト１０の回動により従動する従動プーリから成るものである。本実施形態に係る搬送ベルト１０は、上記プーリＲ１、Ｒ２の他、フリープーリＲ３及びテンションプーリＲ４にも懸架されている。
【００２０】
かかるフリープーリＲ３は、テンションプーリＲ４との間で当該搬送ベルト１０に対して所定のテンション（張力）を付与させ得るものである。また、テンションプーリＲ４は、搬送ベルト１０におけるプーリＲ２とフリープーリＲ３との間の部位を押圧し得るもので、押圧寸法に応じて搬送ベルト１０に対してテンションを付与させ得るよう構成されている。そして、駆動源としてのモータＭを駆動させると、搬送ベルト１０は、プーリＲ１、Ｒ２間を回動し得るよう構成されている。
【００２１】
さらに、搬送ベルト１０の搬送面と対向する部位には、押圧部材１２が配設されている。かかる押圧部材１２は、フレームＦに連結された略板状部材から成り、スプリング等の付勢手段１２ａによって、搬送ベルト１０の搬送面に向かって付勢されるとともに、当該搬送ベルト１０の搬送面と対向した面には、研磨布１１が敷設可能とされている。そして、搬送ベルト１０の搬送面と研磨布１１の研磨面との間の寸法は、遊技球の外径より若干小さく設定されており、当該搬送ベルト１０の搬送面と研磨布１１の研磨面とで遊技球を挟持し得るようになっている。
【００２２】
しかして、搬送ベルト１０の搬送面と研磨布１１との間に流入した遊技球は、これら搬送ベルト１０の搬送面と研磨布１１とにより挟持されるとともに、搬送ベルト１０がプーリＲ１、Ｒ２の間を回動することにより、搬送ベルト１０の搬送面及び研磨布１１の研磨面との間で生じる摩擦抵抗によって上方（プーリＲ２側）に向かって流動し、搬送ベルト１０の回動方向に向かって搬送されるとともに、搬送ベルト１０の搬送面と研磨布１１とにより挟持されつつ搬送される過程で、当該研磨布１１の研磨面により表面（外周面）が擦られて研磨され、表面の汚れが拭き取られることとなる。
【００２３】
また、本研磨揚送装置９におけるプーリＲ２の下部には、島設備１内を循環する遊技球（具体的にはアウトレール８を介して流下する遊技球）を受け得る受け部材１３が配設されている。かかる受け部材１３には、遊技球を通過させ得る複数の溝１３ａが形成されており、アウトレール８にて回収された遊技球が受け部材１３を介して搬送ベルト１０の搬送面と研磨布１１の研磨面との間に順次案内され得るよう構成されている。
【００２４】
なお、本実施形態に係る研磨布１１は、長尺状の布（表面が遊技球の外周面を研磨可能な不織布など）から成るもので、一端側（未使用側）が回転自在なローラ部Ｒ６にて巻き取られるとともに、他端側（使用済側）が図示しないモータ等の駆動源に連結されたローラ部Ｒ５にて巻き取られて構成されている。かかる研磨布１１におけるローラ部Ｒ６とローラ部Ｒ５との間の部位が押圧部材１２上に敷設されて搬送ベルト１０の搬送面と対向させている。
【００２５】
そして、図示しない駆動源を駆動してローラ部Ｒ５を回転駆動させると、研磨布１１が当該ローラ部Ｒ５にて巻き取られるとともに、ローラ部Ｒ６から未使用の研磨布１１が繰り出されるようになっている。これにより、長期使用により、搬送ベルト１０の搬送面と対向する研磨布１１の部位が消耗した際、ローラ部Ｒ５を回転駆動させることにより、未使用の部位を搬送ベルト１０の搬送面と対向させて遊技球の研磨を行わせることができる。
【００２６】
揚送部材１６は、搬送ベルト１０の終端側に配設されるとともに、遊技球を流通させ得る流路１６ａが形成された部材から成り、本体側逆流防止手段１４を経て流路１６ａに流入した遊技球を上方まで流通させ得るよう構成されている。より具体的には、揚送部材１６は、図５に示すように、幅方向に複数（本実施形態においては６本）の流路１６ａが上下方向に亘って形成されており、それぞれの流路１６ａが当該揚送部材１６の上面にて開口した状態となっている。なお、図中符号１６ｂは、揚送部材１６の上面から上方に向かって突起した位置決め用凸部を示している。
【００２７】
揚送管路１８は、少なくとも径方向に撓み得る可撓性円筒状部材から成るもので、図８に示すように、その内部の遊技球の流通路１８ａにおける断面形状が円形状とされた樹脂製のパイプ状部材から成る。かかる揚送管路１８は、図６に示すように、その下端が接続部材１７に接続されて構成されており、当該接続部材１７に形成された流通路１７ａと流通路１８ａとが連通した状態とされるとともに、その上端が島上タンク３に接続されており、流通路１８ａ内を通過して揚送された遊技球が島上タンク３に収容されるようになっている。これにより、接続部材１７における流通路１７ａの下部から流入した遊技球は、上方に向かって揚送されて揚送管路１８における流通路１８ａに至り、そこから更に上方に揚送されて島上タンク３に至るよう構成されているのである。
【００２８】
一方、接続部材１７は、揚送部材１６の上面に組み付けられて当該揚送部材１６と接続可能とされている（図２参照）とともに、当該接続部材１７と揚送部材１６とが接続された状態で流路１６ａと流通路１７ａとが連通して遊技球を通過させ得るよう構成されている。接続部材１７と揚送部材１６が接続されると、汎用の固定手段（例えば汎用の螺合又は係止手段等）にて接続状態が保持されるようになっている。
【００２９】
しかして、接続部材１７が揚送部材１６に接続して組み付けられると、搬送ベルト１０の終端側から揚送部材１６の流路１６ａに流入した遊技球は、接続部材１７の流通路１７ａを介して揚送管路１８の流通路１８ａ内に至り、更に上方に揚送されて島上タンク３まで搬送されるようになっている。また、接続部材１７が揚送部材１６に対して脱着可能となっているため、メンテナンス時や球詰まり時等において、接続部材１７を揚送部材１６から容易に取り外すことができる。
【００３０】
なお、接続部材１７の下面（揚送部材１６との接続面）には、揚送部材１６の上面（接続部材１７との接続面）に形成された位置決め用凸部１６ｂと対応した位置決め用孔部１７ｂが形成されており、接続部材１７を揚送部材１６に接続時、位置決め用凸部１６ｂが位置決め用孔部１７ｂに入り込んで嵌合することにより、両部材が位置決めされるようになっている。これにより、接続部材１７の流通路１７ａと揚送部材１６の流路１６ａとを精度よく連通させることができる。
【００３１】
上記構成により、搬送ベルト１０の搬送面と研磨布１１との間に流入した遊技球に対し、当該研磨布１１にて表面の汚れを拭き取りつつ当該搬送ベルト１０の回動により揚送管路１８における揚送力が付与されるようになっている。すなわち、搬送ベルト１０と研磨布１１との間に挟持された遊技球は、当該搬送ベルト１０の回動により表面の汚れが拭き取られるとともに、当該回動にて遊技球に対して搬送力が付与され、その搬送力（揚送力）により、揚送部材１６の流路１６ａ、接続部材１７の流通路１７ａ、及び揚送管路１８の流通路１８ａに流入した遊技球が後続の遊技球によって押し上げられるようになっているのである。
【００３２】
このように、本実施形態によれば、搬送ベルト１０と研磨布１１とを具備するとともに、当該搬送ベルト１０の回動により遊技球の表面の研磨と揚送力の付与とが同時に行われることとなり、遊技球の研磨を行わせる手段と、遊技球を揚送する手段とがそれぞれ配設されたものに比べ、装置構成を簡素化し得るとともに製造コストを低減させることができる。
【００３３】
ここで、本実施形態においては、搬送ベルト１０の終端側における押圧部材１２と揚送部材１６との間には、遊技球の逆流を防止するための本体側逆流防止手段１４が配設されている。かかる本体側逆流防止手段１４は、図４に示すように、搬送ベルト１０の終端から揚送管路１８に向かう流路（本実施形態においては、揚送部材１６に形成された流路１６ａ）を閉止するとともに当該揚送管路１８に向かって流出した最下の遊技球を支持して逆流を防止する逆流防止状態（同図（ａ）参照）と、搬送ベルト１０の終端からの遊技球に押圧されて当該遊技球の揚送管路１８への流出を許容し得る流通許容状態（同図（ｂ）参照）との間で移動可能な部材から成る。
【００３４】
具体的には、本体側逆流防止手段１４は、揚送部材１６の流路１６ａに対応して複数配設され、それぞれが揺動軸Ｌ１を中心に揺動自在とされているとともに、それぞれの所定部位にはコイルスプリング１５の一端が取り付けられた取付部１４ａが形成されている。かかるコイルスプリング１５は、その他端がフレームＦ側に接続されており、取付部１４ａを引っ張る方向に常時付勢されている。しかるに、逆流防止状態においては、図４（ａ）に示すように、本体側逆流防止手段１４がｂ方向に付勢されていることから、揚送部材１６の流路１６ａを閉止するとともに、当該流路１６ａ内における最下にある遊技球を支持した状態となっている。
【００３５】
そして、モータＭを駆動させて搬送ベルト１０を回動させると、本体側逆流防止手段１４は、搬送ベルト１０の終端からの遊技球に押圧され、図４（ｂ）に示すように、コイルスプリング１５の付勢力に抗して揺動軸Ｌ１を中心にａ方向に揺動することにより流通許容状態とされる。かかる流通許容状態においては、搬送ベルト１０の終端と揚送部材１６の流路１６ａとが連通した状態となり、遊技球の揚送管路１８への流出を許容し得る状態となる。
【００３６】
さらに、本実施形態においては、揚送管路１８の下端部に遊技球の逆流を防止するための揚送管路側逆流防止手段１９が配設されている。かかる揚送管路側逆流防止手段１９は、揚送管路１８の下端に接続された接続部材１７内において流通路１７ａに対応してそれぞれ配設されており、図７に示すように、外周面に複数の凹部１９ａが形成された円板状部材から成る。
【００３７】
具体的には、揚送管路側逆流防止手段１９は、その一部の凹部１９ａが流通路１７ａ内に臨んだ状態とされており、図７中ａ方向の回転は許容されるとともに同図中ｂ方向の回転が規制されたワンウェイクラッチを有して成る。しかして、搬送ベルト１０が回動することにより、流通路１７ａ内の遊技球が上方に向かって移動（揚送）する際、揚送管路側逆流防止手段１９は、移動する遊技球が凹部１９ａに順次嵌りつつａ方向に回転し、当該揚送を許容するとともに、搬送ベルト１０の回動が停止すると、揚送管路側逆流防止手段１９は、ｂ方向への回転が規制されるため自重による逆流（下方への流下）が防止され、凹部１０ａに遊技球が嵌った状態で停止して、それより上方の遊技球を支持することとなる。
【００３８】
上記実施形態に係る研磨揚送装置９によれば、搬送ベルト１０の終端と揚送管路１８（具体的には、揚送部材１６との間に配設されて遊技球の逆流を防止するための本体側逆流防止手段１４と、当該揚送管路１８側（本実施形態においては揚送管路１８の下端に接続された接続部材１７）に配設されて遊技球の逆流を防止するための揚送管路側逆流防止手段１９とを具備したので、揚送管路１８内の遊技球の逆流を防止するとともに、遊技球がまばらに送り込まれた場合でも搬送ベルト１０に対して過負荷が付与されてしまうのを防止することができる。
【００３９】
すなわち、揚送管路側逆流防止手段１９にて揚送管路１８内の遊技球の逆流を防止するとともに、本体側逆流防止手段１４にて揚送管路１８に向かう遊技球の最下の遊技球を支持させるので、搬送ベルト１０の幅方向において遊技球が送り込まれる部位と送り込まれない部位とがある場合、送り込まれない部位における搬送ベルト１０の終端近傍の遊技球を本体側逆流防止手段４で支持することができ、揚送管路側逆流防止手段１８より下方にある遊技球の重量が搬送ベルト１０に付与されてしまうのを回避できるのである。
【００４０】
さらに、本体側逆流防止手段４は、搬送ベルト１０の終端から揚送管路１８に向かう流路を閉止するとともに揚送管路１８に向かって流出した最下の遊技球を支持して逆流を防止する逆流防止状態と、搬送ベルト１０の終端からの遊技球に押圧されて当該遊技球の揚送管路１８への流出を許容し得る流通許容状態との間で移動可能な部材から成るので、より確実に搬送ベルト１０に過負荷が生じてしまうのを回避させることができる。
【００４１】
またさらに、揚送管路１８の下端部（本実施形態においては接続部材１７）には、遊技球の逆流を防止するための揚送管路側逆流防止手段１９が配設されたので、揚送管路１８を取り外す際に当該揚送管路１８の内部にある遊技球が落下してしまうのを防止することができるとともに搬送ベルト１０の停止中に揚送管路１８内の遊技球が逆流してしまうのを回避することができる。
【００４２】
また、搬送ベルト１０から揚送管路１８に向かう遊技球を流通させる流路１６ａが形成された揚送部材１６を具備するとともに、揚送管路１８の下端部には、当該揚送部材１６と接続して当該揚送部材１６の流路１６ａと揚送管路１８とを連結させる接続部材１７が接続され、当該接続部材１７に揚送管路側逆流防止手段１９が配設されたので、接続部材１７は、揚送管路側逆流防止手段１９を保持する機能と、揚送部材１６と接続して当該揚送部材１６の流路１６ａと揚送管路１８とを連通させる機能とを兼ね備えることができる。
【００４３】
なお、本実施形態に係る揚送管路１８は、少なくとも径方向に撓み得る可撓性円筒状部材から成るので、研磨揚送装置９の島設備１内への設置時、揚送管路１８を撓ませて寸法誤差を吸収させることができ、島設備１に対する設置を良好に行わせることができるとともに、設置スペースを低減させることができる。また、本実施形態に係る研磨揚送装置９は、搬送ベルト１０の回動により遊技球の表面の研磨と揚送力の付与とが同時に行われものとされ、且つ、揚送管路１８が径方向に撓み得ることから、搬送ベルト１０にて付与された揚送力により遊技球が揚送管路１８にて揚送する際、その揚送力に応じて揚送管路１８を径方向に撓ませることができ、より円滑な揚送を行わせることができる。
【００４４】
さらに、本実施形態によれば、揚送管路１８は、その内部の遊技球の流通路１８ａにおける断面形状が円形状とされたので、遊技球の揚送をより円滑に行わせることができる。またさらに、揚送管路１８は、内部に遊技球を通過させ得る樹脂製のパイプ状部材から成るので、より簡易な構成の揚送管路１８を得ることができ、研磨揚送装置９の製造コストを低下させることができる。
【００４５】
以上、本実施形態について説明したが、本発明はこれに限定されるものではなく、例えば本体側逆流防止手段１４及び揚送管路側逆流防止手段１９は遊技球の逆流を防止し得る構成であれば足り、他の形態のものとすることができる。また、本実施形態に係る揚送管路側逆流防止手段１９は、揚送管路１８の下端に接続された接続部材１７内に配設されているが、揚送管路１８の途中（例えば揚送管路１８の中央位置と接続部材１７との間等）に配設するようにしてもよい。
【００４６】
さらに、本実施形態に係る揚送管路１８は、その下端に接続部材１７が接続されるとともに、揚送部材１６と接続されて組み付けられるよう構成されているが、揚送管路１８のそれぞれが揚送部材１６の流路１６ａと直接接続されたものとしてもよい。なお、適用される島設備は、本実施形態のものに限定されず、パチンコ遊技機２を並設可能な種々形態のものであってもよい。
【産業上の利用可能性】
【００４７】
搬送ベルトの終端と揚送管路との間に配設されて遊技球の逆流を防止するための本体側逆流防止手段と、当該揚送管路側に配設されて遊技球の逆流を防止するための揚送管路側逆流防止手段とを具備し、且つ、搬送ベルトから揚送管路に向かう遊技球を流通させる流路に対して揚送管路が取り外し可能とされるとともに、揚送管路側逆流防止手段は、取り外された当該揚送管路の下端部に位置する研磨揚送装置であれば、外観形状が異なるもの或いは他の機能が付加されたもの等にも適用することができる。
【符号の説明】
【００４８】
１  島設備
２  パチンコ遊技機
３  島上タンク
４ａ、４ｂ  補給樋
５ａ、５ｂ  オーバーフロー樋
６  蛇腹チューブ
７  島中タンク
８  アウトレール
９  研磨揚送装置
１０  搬送ベルト
１１  研磨布
１２  押圧部材
１３  受け部材
１４  本体側逆流防止手段
１５  コイルスプリング
１６  揚送部材
１７  接続部材
１８  揚送管路
１９  揚送管路側逆流防止手段
【図１】
0006005981.tif 000002
【図２】
0006005981.tif 000003
【図３】
0006005981.tif 000004
【図４】
0006005981.tif 000005
【図５】
0006005981.tif 000006
【図６】
0006005981.tif 000007
【図７】
0006005981.tif 000008
【図８】
0006005981.tif 000009